(57)【要約】【課題】ティーグランドが凍結していても正確かつ容易にティーをティーグランドに差し込むことができ、遅延プレイを誘発することなく、ゴルフプレイを楽しくかつスムーズに進行させることができるゴルフティー保持具および該保持具の埋設用打込み治具を提供する。【解決手段】ティーグランドに埋設される中空円筒状保持体８と、その上端部に載置固定され、中心部にゴルフティー５を差し込む中空グランドティー４を一体的に立設した円盤状蓋体９と、上記グランドティー４の中空部４ａに嵌脱自在に嵌合される開口部１０ａを有する差込ガイド１０と、中空円筒状保持体８の上部周面から外方に突出する埋設用係止片１１とからなり、ゴルフボール６の打進方向Ｘに差込ガイド１０の開口部１０ａを臨ませた状態で、保持体８の上端部に蓋体９を固定してゴルフティー保持具３を構成した。【選択図】    図２
2004357913.tif 000002
【特許請求の範囲】
【請求項１】
冬季期間中凍結したティーグランドのティーショットマークの範囲内に埋設される先端尖状に形成された中空円筒状保持体と、該保持体の上端部に載置固定され、中心部にゴルフティーを差し込む中空グランドティーを一体的に立設した円盤状蓋体と、上記グランドティーの中空部に嵌脱自在に嵌合される開口部を有する差込ガイドと、中空円筒状保持体の上部周面から外方に突出する埋設用係止片とからなり、上記ゴルフティーに載置したボールの打進方向に差込ガイドの開口部を臨ませた状態で、保持体の上端部に蓋体を固定して構成されることを特徴とするゴルフティー保持具。
【請求項２】
上記円盤状蓋体に一体的に立設された中空グランドティーの頂部には、着脱自在な保護キャップが被冠されていることを特徴とする請求項１記載のゴルフティー保持具。
【請求項３】
ゴルフティー保持具をティーグランドに埋設する打込み治具であって、該打込み治具は、中空円筒状保持体の埋設用係止片を受け入れる倒立Ｌ字状の係合溝を、当該保持具の蓋体と略同径に形成した中空円筒体の下端部に切欠形成すると共に、上記中空円筒体の上端部には、該中空円筒体の径より大径の円盤状打込み受体を固設し、かつ中空円筒体の中途部には、打込み受体と略同径の円盤が水平状に介装され、上記打込み受体を介して保持具をグランドに打ち込んだ際、中空円筒体の中途部に周設した円盤の下面が地表面に面着し、ゴルフティー保持具を、グランドティーの頭部が地表面に露出する所定の埋設位置に保持するように構成したことを特徴とするゴルフティー保持具の埋設用打込み治具。
【発明の詳細な説明】
【０００１】
【発明の属する技術分野】本発明は、ゴルフティー保持具および該保持具の打込み治具に係り、特に、冬季期間中において凍結したティーグランドでも、そのティーショットマークの範囲内にゴルフティーを容易かつスムーズに差し込むことができ、ティーグランドにおける遅延プレイを未然に防止することができるゴルフティー保持具および該保持具の打込み治具に関するものである。
【０００２】
【従来の技術】ゴルフは、アメリカでポピュラーなスポーツとなっており、日本においても、テレビで放映される競技スポーツの中で野球と並ぶ人気を有するスポーツとなっている。
【０００３】そして、スポーツとしてのゴルフは、一般に屋外のゴルフコース（通常は１８ホール）を使用して行われ、各々のコースでは、そのコースのスタート位置であるティーグランドから、グリーンの中心に据えたホールまでの打数を競い合うが、実際の競技では、ゴルフボールを打つ前に、まず、プレイヤーはティーグランドのティーショットマークの範囲内に位置する地表面にティーを差込み、このティーの凹部にゴルフボールを置き（ティーアップ）、次いでプレイヤーがゴルフクラブ（ドライバー）を振り下ろして、ゴルフボールに適切なインパクトを加えると、インパクト方向、すなわちグリーンのホール位置を目指す方向にゴルフボールが飛球し、その後にゴルフボールがホール内に落球する（ホールイン）まで、１コースの競技が続行されることになる。
【０００４】このようなゴルフコースにおける競技においては、各コースの第一打となるティーグランドでのティーショットが、そのコースでの勝敗を左右する重要なプレイとなるため、プレイヤーの緊張度が高いことと相俟って、ティーの高さ位置調整やアドレス前の素振りの回数の増加などにより、プレイヤー１人当たりの所要時間が長くなり易い。
【０００５】殊に、冬季期間中や晩秋、初春の早朝ゴルフ等において、ティーグランドが凍結している場合には、ティーを簡単に、しかも正確かつ容易に差し込める用具がないため、ティーの差し込みが困難となり、ティー位置の選択や高さ位置調整に要する時間が更に長くなって、いわゆる遅延プレイが頻発してしまい、一緒にコースを回る他のプレイヤーへの迷惑や競技の雰囲気を害する、というゴルフプレイ上の問題を内包するものであった。
【０００６】
【発明が解決しようとする課題】本発明は、上記の如き実状に鑑みより快適なゴルフコース環境を提供すべく創案されたものであって、その目的とするところは、ティーグランドが凍結していても正確かつ容易にティーをティーグランドに差し込むことができ、遅延プレイを誘発することなく、ゴルフプレイを楽しくかつスムーズに進行させることができるゴルフティー保持具および該保持具の埋設用打込み治具を提供しようとするものである。
【０００７】
【課題を解決するための手段】上記課題を解決するため、本発明が採用した第１の技術的手段は、冬季期間中凍結したティーグランドのティーショットマークの範囲内に埋設される先端尖状に形成された中空円筒状保持体と、該保持体の上端部に載置固定され、中心部にゴルフティーを差し込む中空グランドティーを一体的に立設した円盤状蓋体と、上記グランドティーの中空部に嵌脱自在に嵌合される開口部を有する差込ガイドと、中空円筒状保持体の上部周面から外方に突出する埋設用係止片とからなり、上記ゴルフティーに載置したボールの打進方向に差込ガイドの開口部を臨ませた状態で、保持体の上端部に蓋体を固定して構成されることを特徴とするものである。
【０００８】本発明が採用した第２の技術的手段は、上記円盤状蓋体に一体的に立設された中空グランドティーの頂部には、着脱自在な保護キャップが被冠されていることを特徴とするものである。
【０００９】本発明が採用した第３の技術的手段は、ゴルフティー保持具をティーグランドに埋設する打込み治具であって、該打込み治具は、中空円筒状保持体の埋設用係止片を受け入れる倒立Ｌ字状の係合溝を、当該保持具の蓋体と略同径に形成した中空円筒体の下端部に切欠形成すると共に、上記中空円筒体の上端部には、該中空円筒体の径より大径の円盤状打込み受体を固設し、かつ中空円筒体の中途部には、打込み受体と略同径の円盤が水平状に介装され、上記打込み受体を介して保持具をグランドに打ち込んだ際、中空円筒体の中途部に周設した円盤の下面が地表面に面着し、ゴルフティー保持具を、グランドティーの頭部が地表面に露出する所定の埋設位置に保持するように構成したことを特徴とするものである。
【００１０】
【発明の実施の形態】以下、本発明を実施するための最良の形態を、添付図面に基づいて詳細に説明する。
図１において、１はプレイヤー、２はティーグランド、３は本発明のゴルフティー保持具であり、該ゴルフティー保持具３は、上記ティーグランド２内に埋設されており、その上端部に載置固定された後述する中空グランドティー４にゴルフティー５を差し込むと共に、上記ティー５の上端にゴルフボール６を載置して、プレイヤー１が把持したゴルフクラブ７（ドライバー７）の振り下ろしによりティーショットを行うようになっている。
【００１１】上記ゴルフティー保持具３は、図２〜図４に示すように、ティーグランド２の図示しないティーショットマークの範囲内に埋設される先端尖状に形成された中空円筒状保持体８と、該保持体８の上端部に載置固定され、中心部にゴルフティー５を差し込む中空グランドティー４を一体的に立設した弾性ゴムからなる円盤状蓋体９と、上記グランドティー４の中空部４ａに嵌脱自在に嵌合される開口部１０ａを有する差込ガイド１０と、中空円筒状保持体８の上部周面から外方に対向状に突出するネジ式の埋設用係止片１１、１１で構成されている。
【００１２】すなわち、上記中空円筒状保持体８の上部には、該保持体８と略同径で上面および周側面にメネジ１２ａ、１２ｂを穿設した中継部材１２が嵌装されており、該中継部材１２の嵌装状態で、中空円筒状保持体８の外周から埋設用係止片１１、１１を、それぞれ中継部材１２のメネジ１２ｂ、１２ｂに螺合させて、中継部材１２を中空円筒状保持体８の上部に嵌着固定すると共に、上記中継部材１２の上面に円盤状蓋体９を載置し、更にその上面に、上記中継部材１２のメネジ１２ａ、１２ａ…に対応する挿通孔１３ａ、１３ａ…と中空グランドティー４の挿通孔１３ｂを穿設した金属製の固定円盤１３を層状に載置し、かつ円盤状蓋体９に穿設した挿通孔９ａ、９ａ…、および上記固定円盤１３の挿通孔１３ａ、１３ａ…を、それぞれ中継部材１２のメネジ１２ａ、１２ａ…に合致させた状態で固定ネジ１４、１４…により螺着固定してゴルフティー保持具３が一体に構成される。また差込ガイド１０は、その開口部１０ａを、ゴルフボール６の打進方向Ｘに臨ませた状態で、上記グランドティー４の中空部４ａに嵌脱自在に嵌合されている。
【００１３】そして、上述のように構成されたゴルフティー保持具３は、図５に示すように、グランドティー４の頭部が、ティーグランド２の地表面に露出する所定の埋設位置に保持するように打込み治具１５を介して埋設される。
【００１４】すなわち、上記打込み治具１５は、図６に示すように、中空円筒状保持体８の埋設用係止片１１、１１を受け入れる倒立Ｌ字状の係合溝１６、１６を、ゴルフティー保持具３の円盤状蓋体９と略同径に形成した中空円筒体１７の下端部に切欠形成し、かつ上記中空円筒体１７の上端部には、該中空円筒体１７の径より大径の円盤状打込み受体１８を固設し、更に中空円筒体１７の中途部には、打込み受体１８と略同径の円盤１９が水平状に介装されて打込み治具１５が構成されている。
【００１５】叙上の如き構成において、打込み治具１５によりゴルフティー保持具３をティーグランド２のティーショットマークの範囲内、詳しくは予め打つ場所を規定した２つのティーマークを結んだ線上の内側に打ち込むには、図７（ａ）に示すように、ゴルフティー保持具３の埋設用係止片１１、１１を、打込み治具１５の係合溝１６、１６にそれぞれ合致させた状態で、該打込み治具１５の下方からゴルフティー保持具３を中空円筒体１７内に挿通し、同図（ｂ）に示すように、埋設用係止片１１、１１を係合溝１６、１６に係止すると、ゴルフティー保持具３が打込み治具１５内に係止される。
【００１６】次いで、ティーグランド２の所定位置に対して、ゴルフティー保持具３を係止した打込み治具１５を垂直に保持しながら、円盤状打込み受体１８の上部から土木用木槌などを使用して打ち込むと、図８（ａ）に示すように、上記円盤１９の下面が地表面に面着した時点で、グランドティー４の頭部が地表面に露出する所定の埋設位置にゴルフティー保持具３が保持されることになる。
【００１７】然る後に、同図（ｂ）に示すように、打込み治具１５を水平方向に回動させると、ゴルフティー保持具３の埋設用係止片１１、１１が打込み治具１５の係合溝１６、１６から相対移動し、この状態で図９（ａ）に示すように、打込み治具１５を垂直方向に引き抜けば、ゴルフティー保持具３は所定の埋設位置に保持された状態となる。
【００１８】その後に、上記埋設位置のゴルフティー保持具３の外周域を含む空間部Ｂに砂Ｙを埋入すれば、ゴルフティー保持具３は、そのグランドティー４の頭部をティーグランド２の地表面から露出した状態で埋設されることになる（図９（ｂ））。
【００１９】上記のようなゴルフティー保持具３の埋設作業においては、当該ゴルフティー保持具３の埋設用係止片１１、１１と、打込み治具１５の係合溝１６、１６および円盤１９の位置関係が一定となるので、ゴルフティー保持具３を常に同じ埋設深さに位置させることができる。
【００２０】上述のようにゴルフティー保持具３を埋設設置したティーグランド２において、実際にゴルフを行う場合、図１０に示すように、プレイヤー１はゴルフボール６を打つ前に、まず、ゴルフティー保持具３の中空グランドティー４にゴルフティー５を差し込み、その頂部にゴルフボール６を載置する。この時、上記中空グランドティー４は、円盤状蓋体９とともに弾性ゴムで形成されているので、冬季期間中や晩秋、初春の早朝ゴルフ等でティーグランド２が凍結していても、ティー位置の選択に手間取ったり、高さ位置調整に時間を要することなく、容易にゴルフティー５を差し込むことができ、プレイヤー１の好みの高さにゴルフティー５の調節も簡単かつ短時間で行い得て遅延プレイを未然に防止することができる。
【００２１】次いで、プレイヤー１がゴルフクラブ７（ドライバー７）を振り下ろして、ゴルフボール６に適切なインパクトを加えると、図１１（ａ）から同図（ｂ）に示すように、インパクト方向、すなわち図示しないグリーンのホール位置を目指す打進方向Ｘにゴルフボール６が飛球する。この時、上記中空グランドティー４に差し込まれたゴルフティー５もゴルフクラブ７の打力を受けて、当該中空グランドティー４から抜け出すが、当該中空グランドティー４の中空部４ａに嵌合された差込ガイド１０は、その開口部１０ａが打進方向Ｘに向いているので、上記中空グランドティー４が弾性変形することと相俟って、ゴルフティー５は無理な打力の影響を受けることなく中空グランドティー４内から速やかに抜け出すことができ、従来のように、ゴルフティーを直接ティーグランドに差し込んだ場合とほぼ等しいティーショット状態を維持することができる。
【００２２】また、本実施例におけるゴルフティー保持具３は、その中空グランドティー４の周囲に砂Ｙを埋入しているので、雨期や雨上がり直後にプレイを行う場合にも、ゴルフティー５の差込位置、すなわち中空グランドティー４の周囲は水はけが良く、最良の状態でティーショットを行うことができる。
【００２３】図１２（ａ）は、上記ゴルフティー保持具３の中空グランドティー４の頭部に、耐候性樹脂で成形された保護キャップ２０を被冠した状態を示すものである。このように中空グランドティー４に保護キャップ２０を被冠することにより、ティーグランド２の未使用時における当該中空グランドティー４内への異物の混入、水気の浸入等を未然に防止することができ、前記と同様に使用時には常に最良の状態でティーショットを行うことができる。
【００２４】更に、同図（ｂ）に示すように、コース番号を表記したプレート２１を一体形成した保護キャップ２０´を採用することにより、ゴルフコースの番号確認とティーアップ位置の確認を遠方からでも容易に行うことができ、ゴルフティー保持具３の採用と相俟って、多数のプレイヤーが順次コースを巡る場合にも遅延プレイを誘発することなく、楽しい雰囲気の中で快適なゴルフプレイを堪能することが可能となる。
【００２５】
【発明の効果】これを要するに本発明は、冬季期間中凍結したティーグランドのティーショットマークの範囲内に埋設される先端尖状に形成された中空円筒状保持体と、該保持体の上端部に載置固定され、中心部にゴルフティーを差し込む中空グランドティーを一体的に立設した円盤状蓋体と、上記グランドティーの中空部に嵌脱自在に嵌合される開口部を有する差込ガイドと、中空円筒状保持体の上部周面から外方に突出する埋設用係止片とからなり、上記ゴルフティーに載置したボールの打進方向に差込ガイドの開口部を臨ませた状態で、保持体の上端部に蓋体を固定して構成されから、
▲１▼冬季期間中や晩秋、初春の早朝ゴルフ等でティーグランドが凍結していても、ティー位置の選択に手間取ったり、高さ位置調整に時間を要することなく、容易にゴルフティーを所定のティー位置に差し込むことができ、プレイヤーの好みの高さにゴルフティーの調節も簡単かつ短時間で行い得て、遅延プレイを未然に防止することができる。
また、上記円盤状蓋体に一体的に立設された中空グランドティーの頂部には、着脱自在な保護キャップが被冠されているから、
▲２▼ティーグランドの未使用時における当該中空グランドティー内への異物の混入、水気の浸入等を未然に防止することができ、使用時には常に最良の状態でティーショットを行うことができる。
更に、ゴルフティー保持具をティーグランドに埋設する打込み治具は、中空円筒状保持体の埋設用係止片を受け入れる倒立Ｌ字状の係合溝を、当該保持具の蓋体と略同径に形成した中空円筒体の下端部に切欠形成すると共に、上記中空円筒体の上端部には、該中空円筒体の径より大径の円盤状打込み受体を固設し、かつ中空円筒体の中途部には、打込み受体と略同径の円盤が水平状に介装され、上記打込み受体を介して保持具をグランドに打ち込んだ際、中空円筒体の中途部に周設した円盤の下面が地表面に面着し、ゴルフティー保持具を、グランドティーの頭部が地表面に露出する所定の埋設位置に保持するように構成したから、
▲３▼ゴルフティー保持具の埋設用係止片と、打込み治具の係合溝および円盤の位置関係が一定となるのでティーグランドが凍結していても、埋設作業を簡単に行うことができるものでありながら、ゴルフティー保持具を常に同じ埋設深さに位置させることができる。等という極めて有用な新規的効果を奏するものである。
【図面の簡単な説明】
【図１】本発明のゴルフティー保持具を採用したティーグランドの斜視図
【図２】ゴルフティー保持具の全体斜視図
【図３】（ａ）はゴルフティー保持具の平面図、（ｂ）は同正面図、（ｃ）は同側面図
【図４】（ａ）は固定円盤の平面図、（ｂ）は同側面図、（ｃ）は中継部材の平面図、（ｄ）は同側面図、（ｅ）は円盤状蓋体の平面図、（ｆ）は同側面図、（ｇ）は差込ガイドの平面図、（ｈ）は同側面図
【図５】埋設されたゴルフティー保持具の断面図
【図６】（ａ）は打込み治具の平面図、（ｂ）は同正面図
【図７】（ａ）および（ｂ）は打込み治具へのゴルフティー保持具の装着を示す作用説明図
【図８】（ａ）および（ｂ）は図７に続くゴルフティー保持具の埋設手順を示す作用説明図
【図９】（ａ）および（ｂ）は図８に続くゴルフティー保持具の埋設手順を示す作用説明図
【図１０】ゴルフティー保持具の使用状態を示す断面図
【図１１】（ａ）および（ｂ）はゴルフクラブとゴルフボールおよびゴルフティーの状態を示す作用説明図
【図１２】（ａ）はゴルフティー保持具に保護キャップを被冠した状態を示す作用説明図
（ｂ）は保護キャップの他例を示す作用説明図
【符号の説明】
２      ティーグランド
３      ゴルフティー保持具
４      中空グランドティー
４ａ    中空部
５      ゴルフティー
６      ゴルフボール
８      中空円筒状保持体
９      円盤状蓋体
１０    差込ガイド
１０ａ  開口部
１１    埋設用係止片
１５    打込み治具
１６    係合溝
１７    中空円筒体
１８    円盤状打込み受体
１９    円盤
２０    保護キャップ
Ｘ      打進方向
【図１】
2004357913.tif 000003
【図２】
2004357913.tif 000004
【図３】
2004357913.tif 000005
【図４】
2004357913.tif 000006
【図５】
2004357913.tif 000007
【図６】
2004357913.tif 000008
【図７】
2004357913.tif 000009
【図８】
2004357913.tif 000010
【図９】
2004357913.tif 000011
【図１０】
2004357913.tif 000012
【図１１】
2004357913.tif 000013
【図１２】
2004357913.tif 000014